(57)【要約】【課題】  表示端末を用いた画像審査における審査再開時に、ブックマーク情報の付加された画像の次の画像から、画像表示する仕組みを提供する。【解決手段】  ユーザに審査させる表示情報を表示端末で表示した後で審査を中断する際に、審査済みの画像データを特定するためのブックマーク情報をユーザ情報に対応して格納しておき、表示を再開する場合に、ユーザ情報に対応するブックマーク情報より特定される審査済みの画像データより後に審査される未審査の画像データから表示情報を生成する。【選択図】図１８
2015035048.tif 000002
【特許請求の範囲】
【請求項１】
複数の画像データを格納する画像記憶手段と、
前記画像記憶手段に格納されている複数の画像データのうち、どの画像データをユーザに審査させるべく閲覧させるかを特定するためのユーザ情報と、審査の順序を示す順序情報とを格納する情報記憶手段と、
前記ユーザに画像データを閲覧させるべく、前記情報記憶手段に格納されたユーザ情報と前記審査の順序を示す順序情報とに基づいて、前記ユーザの表示端末で表示するための当該画像データを含む表示情報を生成する表示情報生成手段と、
前記表示情報生成手段により生成された表示情報を表示端末で表示した後で審査を中断する際に、未審査の画像データより前に審査される画像データであって、審査済みの画像データを特定するためのブックマーク情報を、当該画像データの審査を行ったユーザを特定するユーザ情報とともに格納するブックマーク情報記憶手段と、
前記表示情報の表示を再開する表示要求とユーザ情報とを受け付ける表示要求受付手段とを備え、
前記表示要求受付手段で表示要求とユーザ情報とを受け付けた場合に、前記表示情報生成手段は、当該表示要求を行ったユーザのユーザ情報に対応するブックマーク情報を前記ブックマーク情報記憶手段から読み出し、当該ブックマーク情報により特定される審査済みの画像データより後に審査される未審査の画像データから前記表示情報を生成する
ことを特徴とする画像管理装置。
【請求項２】
前記表示情報生成手段が、前記ユーザからの画像表示要求を、受け付けた場合であって、
該画像表示要求の表示情報が、複数の画像データを含むものであった場合、
前記表示情報生成手段は、当該表示要求を行った前記ユーザのユーザ情報に対応するブックマーク情報を、前記ブックマーク情報記憶手段から読み出し、当該ブックマーク情報により特定される審査済みの画像データより後に審査される未審査の画像データから順に配置された画像データを含む表示情報を、前記ユーザに閲覧させるべく生成する、
ことを特徴とする、請求項１に記載の画像管理装置。
【請求項３】
複数の画像データを格納する画像記憶装置と、
前記画像記憶装置に格納されている複数の画像データのうち、どの画像データをユーザに審査させるべく閲覧させるかを特定するためのユーザ情報と、審査の順序を示す順序情報とを格納する情報記憶装置とを備える、画像管理装置の制御方法であって、
前記ユーザに画像データを閲覧させるべく、前記情報記憶装置に格納されたユーザ情報と前記審査の順序を示す順序情報とに基づいて、前記ユーザの表示端末で表示するための当該画像データを含む表示情報を生成する表示情報生成工程と、
前記表示情報生成工程により生成された表示情報を表示端末で表示した後で審査を中断する際に、未審査の画像データより前に審査される画像データであって、審査済みの画像データを特定するためのブックマーク情報を、当該画像データの審査を行ったユーザを特定するユーザ情報とともに格納するブックマーク情報記憶工程と、
前記表示情報の表示を再開する表示要求とユーザ情報とを受け付ける表示要求受付工程とを備え、
前記表示要求受付工程で表示要求とユーザ情報とを受け付けた場合に、前記表示情報生成工程は、当該表示要求を行ったユーザのユーザ情報に対応するブックマーク情報を読み出し、当該ブックマーク情報により特定される審査済みの画像データより後に審査される未審査の画像データから前記表示情報を生成する
ことを特徴とする画像管理装置の制御方法。
【請求項４】
複数の画像データを格納する画像記憶装置と、
前記画像記憶装置に格納されている複数の画像データのうち、どの画像データをユーザに審査させるべく閲覧させるかを特定するためのユーザ情報と、審査の順序を示す順序情報とを格納する情報記憶装置とを備える、画像管理装置において実行が可能なプログラムであって、
前記画像管理装置を、
前記ユーザに画像データを閲覧させるべく、前記情報記憶装置に格納されたユーザ情報と前記審査の順序を示す順序情報とに基づいて、前記ユーザの表示端末で表示するための当該画像データを含む表示情報を生成する表示情報生成手段、
前記表示情報生成手段により生成された表示情報を表示端末で表示した後で審査を中断する際に、未審査の画像データより前に審査される画像データであって、審査済みの画像データを特定するためのブックマーク情報を、当該画像データの審査を行ったユーザを特定するユーザ情報とともに格納するブックマーク情報記憶手段、
前記表示情報の表示を再開する表示要求とユーザ情報とを受け付ける表示要求受付手段として機能させ、
前記表示要求受付手段で表示要求とユーザ情報とを受け付けた場合に、前記表示情報生成手段は、当該表示要求を行ったユーザのユーザ情報に対応するブックマーク情報を前記ブックマーク情報記憶手段から読み出し、当該ブックマーク情報により特定される審査済みの画像データより後に審査される未審査の画像データから前記表示情報を生成する
ことを特徴とする画像管理装置において実行が可能なプログラム。
【請求項５】
複数の画像データを格納する画像記憶手段と、
前記画像記憶手段に格納されている複数の画像データのうち、どの画像データをユーザに審査させるべく閲覧させるかを特定するためのユーザ情報と、審査の順序を示す順序情報とを格納する情報記憶手段と、
前記ユーザに画像データを閲覧させるべく、前記情報記憶手段に格納されたユーザ情報と前記審査の順序を示す順序情報とに基づいて、前記ユーザの表示端末で表示するための当該画像データを含む表示情報を生成する表示情報生成手段と、
前記表示情報生成手段により生成された表示情報を表示端末で表示する表示手段と、
前記表示手段により、前記表示情報を表示した後で審査を中断する際に、未審査の画像データより前に審査される画像データであって、審査済みの画像データを特定するためのブックマーク情報を、当該画像データの審査を行ったユーザを特定するユーザ情報とともに格納するブックマーク情報記憶手段と、
前記表示情報の表示を再開する表示要求とユーザ情報とを受け付ける表示要求受付手段とを備え、
前記表示要求受付手段で表示要求とユーザ情報とを受け付けた場合に、前記表示情報生成手段は、当該表示要求を行ったユーザのユーザ情報に対応するブックマーク情報を前記ブックマーク情報記憶手段から読み出し、当該ブックマーク情報により特定される審査済みの画像データより後に審査される未審査の画像データから前記表示情報を生成する
ことを特徴とする画像管理システム。
【発明の詳細な説明】
【技術分野】
【０００１】
本発明は、画像閲覧装置、制御方法、プログラム、およびシステムに関する。
【背景技術】
【０００２】
近年、写真コンテストにおいては、デジタル写真の普及によって審査方法が、プリント写真を審査するアナログ的な審査方法にかわり、画像データで応募を受けつけて、受けつけた画像を表示端末（ＰＣのモニタ画面等）で閲覧・審査する方法が普及している。
そして、このようなケースで閲覧・審査する写真の数が多い場合、審査者は、閲覧・審査を一度に終えることができずに、閲覧・審査の中断を挟む場合がある。
しかし、数多くの画像データの中から、閲覧・審査を再開する画像を探しだすのは、大変な労力を要する。
【０００３】
このような画像の閲覧・審査の再開時の労力軽減するために、特許文献１に示されているような、閲覧を中断する前に、予め再開時に表示したい既読画像に、ブックマークを付加しておく方法が考えられる。
【先行技術文献】
【特許文献】
【０００４】
【特許文献１】特表２０００−５０１２１４号公報
【発明の概要】
【発明が解決しようとする課題】
【０００５】
しかし、画像の審査を目的とした場合、ブックマーク情報が付加された画像（ブックマーク画像）から審査を再開させる方法では、当該画像が審査済みであることを失念したユーザが、当該画像を再度審査してしまい、無駄な審査となる可能性がある。また、失念していない場合においても、ブックマーク画像の次の未審査画像を表示させる操作をしなければならず、その分手間となる。
【０００６】
このような無駄な作業や手間を軽減するために、ブックマーク画像の次の画像（審査済画像の次の未審査画像）から、審査が再開できる画像管理装置（画像管理システム）が望まれている。
【０００７】
そこで本発明は、表示端末を用いた画像審査における審査再開時に、ブックマーク情報の付加された画像の次の画像から、画像表示する仕組みを提供することを目的とする。
【課題を解決するための手段】
【０００８】
本発明は、複数の画像データを格納する画像記憶手段と、前記画像記憶手段に格納されている複数の画像データのうち、どの画像データをユーザに審査させるべく閲覧させるかを特定するためのユーザ情報と、審査の順序を示す順序情報とを格納する情報記憶手段と、前記ユーザに画像データを閲覧させるべく、前記情報記憶手段に格納されたユーザ情報と前記審査の順序を示す順序情報とに基づいて、前記ユーザの表示端末で表示するための当該画像データを含む表示情報を生成する表示情報生成手段と、前記表示情報生成手段により生成された表示情報を表示端末で表示した後で審査を中断する際に、未審査の画像データより前に審査される画像データであって、審査済みの画像データを特定するためのブックマーク情報を、当該画像データの審査を行ったユーザを特定するユーザ情報とともに格納するブックマーク情報記憶手段と、前記表示情報の表示を再開する表示要求とユーザ情報とを受け付ける表示要求受付手段とを備え、前記表示要求受付手段で表示要求とユーザ情報とを受け付けた場合に、前記表示情報生成手段は、当該表示要求を行ったユーザのユーザ情報に対応するブックマーク情報を前記ブックマーク情報記憶手段から読み出し、当該ブックマーク情報により特定される審査済みの画像データより後に審査される未審査の画像データから前記表示情報を生成することを特徴とする。
【発明の効果】
【０００９】
このように設けることで、表示端末を用いた画像審査における審査再開時に、ブックマーク情報の付加された画像の次の画像から、画像表示することができる。
【図面の簡単な説明】
【００１０】
【図１】本発明の実施形態における写真コンテストの審査システムの一例を示す構成図である。
【図２】図１に示す情報処理端末及びサーバのハードウエアの一例を示す構成図である。
【図３】図１に示す情報処理端末及びサーバのモジュール構成の一例を示す構成図である。
【図４】審査者端末からコンテストサーバにログインする際の、ログイン画面の一例である。
【図５】図４よりログイン後、審査者が、審査するコンテストを選択する選択画面である。
【図６】初回ログイン直後の審査画面の一例を示す構成図である。
【図７】ソート条件を加え、表示した審査画面の一例を示す構成図である。
【図８】途中まで審査対象画像の審査を終え、画像審査を中断する直前の審査画面の一例を示す構成図である。
【図９】図８において画像審査を中断した後、審査を再開した直後の写真審査画面の一例を示す構成図である。
【図１０】ユーザ情報と、各ユーザの審査対象となるフォトコンテストを管理するデータテーブルの一例を示す構成図である。
【図１１】表示画像のソート条件とブックマーク画像を管理するためのデータテーブルの一例を示す構成図である。
【図１２】図５で選択された特定の写真コンテストの応募画像と関連情報を管理するデータテーブルの一例を示す構成図である。
【図１３】図１２のデータテーブルを、図７のような条件でソートしたデータテーブルの一例を示す構成図である。
【図１４】本発明の実施形態における、一連の処理の流れを示すフローチャートである。
【図１５】図１４のフローにおける、画像表示リスト生成の際に必要な、条件を選択する選択画面である。
【図１６】図１４のフローにおける、画像表示リスト生成の詳細の流れを示すフローチャートである。
【図１７】図１４のフローにおける、ブックマークの更新の詳細の流れを示すフローチャートである。
【図１８】画像表示点数が１の状態で、図８から図９に至る画面遷移と同様の、審査中断を経て審査再開した画面遷移を示す構成図である。
【図１９】画像記憶装置が記憶している画像とその関連情報のデータテーブルの一例を示す構成図である。
【発明を実施するための形態】
【００１１】
以下、図面を参照して、本発明の実施形態を詳細に説明する。
図１を説明する。図１は、本発明の実施形態における写真コンテストの審査システムの一例を示す構成図である。
【００１２】
尚、図１の通信回線上に接続される各種端末の構成は一例である。例えば、審査者端末１２０とコンテスト管理サーバ１３０が同一であったり、作品応募者端末１１０からの審査画像の受付を、通信回線を用いず、ＣＤＲＯＭ等の可搬メディアを用いて物理的に伝達する等、用途や目的に応じて様々な構成例が考えられる。
図２を説明する。図２は、図１の作品応募者端末１１０、審査者端末１２０、コンテスト管理サーバ１３０等、各種端末のハードウェア構成を示す図である。
ＣＰＵ２０１は、システムバス２０４に接続される各デバイスやコントローラを統括的に制御する。
【００１３】
また、ＲＯＭ２０２あるいは外部メモリ２１１には、ＣＰＵ２０１の制御プログラムであるＢＩＯＳ(Basic Input / Output System)やオペレーティングシステムプログラム（以下、ＯＳ）や、各サーバ或いは各ＰＣの実行する機能を実現するために必要な後述する各種プログラム等が記憶されている。ＲＡＭ２０３は、ＣＰＵ２０１の主メモリ、ワークエリア等として機能する。
ＣＰＵ２０１は、処理の実行に際して必要なプログラム等をＲＡＭ２０３にロードして、プログラムを実行することで各種動作を実現するものである。
また、入力コントローラ（入力Ｃ）２０５は、キーボード２０９や不図示のマウス等のポインティングデバイスからの入力を制御する。
【００１４】
ビデオコントローラ（ＶＣ）２０６は、ＣＲＴディスプレイ（ＣＲＴ）２１０等の表示端末への表示を制御する。表示器はＣＲＴだけでなく、液晶ディスプレイでも構わない。これらは必要に応じて管理者が使用するものである。本発明には直接関係があるものではない。
【００１５】
メモリコントローラ（ＭＣ）２０７は、ブートプログラム、ブラウザソフトウエア、各種のアプリケーション、フォントデータ、ユーザファイル、編集ファイル、各種データ等を記憶するハードディスク（ＨＤ）やフロッピー(登録商標)ディスク（ＦＤ）或いはＰＣＭＣＩＡカードスロットにアダプタを介して接続されるコンパクトフラッシュ（登録商標）メモリ（ＣＦ）等の外部メモリ２１１へのアクセスを制御する。
【００１６】
通信Ｉ／Ｆコントローラ（通信Ｉ／ＦＣ）２０８は、ネットワークを介して、外部機器と接続・通信するものであり、ネットワークでの通信制御処理を実行する。例えば、ＴＣＰ／ＩＰを用いたインターネット通信等が可能である。
【００１７】
なお、ＣＰＵ２０１は、例えばＲＡＭ２０３内の表示情報用領域へアウトラインフォントの展開（ラスタライズ）処理を実行することにより、ＣＲＴ２１０上での表示を可能としている。また、ＣＰＵ２０１は、ＣＲＴ２１０上の不図示のマウスカーソル等でのユーザ指示を可能とする。
【００１８】
本発明を実現するためのプログラムは外部メモリ２１１に記録されており、必要に応じてＲＡＭ２０２にロードされることによりＣＰＵ２０１によって実行されるものである。さらに、本発明に係わるプログラムが用いる定義ファイル及び各種情報テーブルは外部メモリ２１１に格納されており、これらについての詳細な説明は後述する。
図３を説明する。図３は、図１の作品応募者端末、審査者端末、コンテスト管理サーバの各種端末のモジュール構成図である。
尚、図３の各種端末あるいはサーバのモジュール構成は一例であり、用途や目的に応じて様々な構成例があることは言うまでもない。
【００１９】
審査者端末１２０は、ログイン要求モジュール３０１、画像表示モジュール３０２、コマンド入力モジュール３０３、画像・画像関連情報送受信モジュール３０４を備える。
ログイン要求モジュール３０１は、コンテスト管理サーバ１３０に、ログイン要求を行うモジュールである。
【００２０】
画像表示モジュール３０２は、審査に必要となる画像情報、画像関連する情報を審査者端末１２０の表示端末２１０に表示させるためのモジュールである。特に本実施形態では、図４乃至図９に示す各入力、審査画面を表示し、ユーザからの入力及び操作を受付ける。
コマンド入力モジュール３０３は、審査者端末１２０が、コンテストサーバ１３０に対しておこなう要求を入力するモジュールである。
【００２１】
画像関連情報送受信モジュール３０４は、審査者端末１２０が、ブックマーク情報、表示画像のソート条件、審査情報等、審査画像に関わる関連情報を、コンテスト管理サーバ１３０と送受信するためのモジュールである。
【００２２】
コンテスト管理サーバ１３０は、画像記憶モジュール３１１、画像一覧情報記憶モジュール３１２、ユーザ認証モジュール３１３、表示情報生成モジュール３１４、画像・画像関連情報送受信モジュール３１５、データテーブル管理モジュール３１６を備える。
画像記憶モジュール３１１は、作品応募者端末１１０から応募された複数の画像を、外部メモリ２１１に記憶しておく、記憶モジュールである。
すなわち、複数の画像データを格納する画像記憶手段である。
【００２３】
画像一覧情報記憶モジュール３１２は、画像記憶モジュール３１１によって記憶された画像情報に、どのデータをユーザに閲覧させるかを特定するために、各画像に振られた画像番号１２１０を、記憶しておくためのモジュールである。
【００２４】
ユーザ認証モジュール３１３は、審査者端末１２０からのログイン要求を受けつけ（ログインＩＤとパスワードを受けつける）、後述する図１０のデータテーブルを参照し、コンテスト管理サーバ１３０へのログイン管理をするモジュールである。
【００２５】
表示情報生成モジュール３１４は、画像番号１２１０や図１０や図１３にて後述するブックマーク情報・ソート情報に基づいて、審査者端末１２０に表示させるための画像情報を含む、表示画像リストを生成するための、モジュールである。
【００２６】
画像・画像関連情報送受信モジュール３１５は、画像関連情報送受信モジュール３０４と同様に、コンテスト管理サーバ１３０が、審査者端末１２０と、表示画像リストに基づいて画像や画像関連情報を、送受信するためのモジュールである。
【００２７】
データテーブル管理モジュール３１６は、コンテスト管理サーバ１３０が、図１０乃至１３に示す、画像関連情報送をデータテーブル管理するためのモジュールである。
【００２８】
なお、本例の審査者端末とコンテスト管理サーバとの機能分担（モジュールの分担）は、あくまで一例であり、様々な形態があることは言うまでもない。例えば、審査者端末とコンテスト管理サーバが同一である、あるいは、サーバが単に画像を保管するだけである、といったケースも考えられる。つまり、本実施例のようにコンテスト管理サーバ１３０が、画像管理装置や画像管理システムとして役割を果たすケースのほかに、審査者端末１２０単体や、コンテスト管理サーバ１３０と審査者端末１２０の両方で果たすケース等、様々なケースが考えられる。
図４を説明する。図４は、画像審査システムにログインする際の、ログイン画面の一例である。
【００２９】
まず、ユーザ名４０１、パスワード４０２を審査者端末１２０よりユーザが入力する。次に、ユーザはログインボタン４０３を押下する。押下を受けつけたら審査者端末は、コンテスト管理サーバ１３０にログイン要求を行う。ログイン要求を受けつけたコンテスト管理サーバ１３０は、後述の図１０のデータテーブルを用いて照合、照合できた場合にはログインを許可し、後述の図５に示す、審査コンテスト名選択画面へと移行する。
図５を説明する。図５は、図４よりログイン後、審査者が、審査するコンテストを選択する選択画面である。
【００３０】
認証したユーザ（審査者）の審査対象のコンテスト名を、後述の図１０のデータテーブルを基に、審査者端末１２０より入力あるいは選択させ、選択後は後述の図６に示す審査画面へと移行する。
図６を説明する。図６は、初回ログイン直後の審査画面の一例を示す構成図である。
【００３１】
６０１は、後述する図１２の表示画像から、表示写真をソートするためのソート条件を入力するコマンド部である。なお、ここに記述しているソート条件や、ソート条件の入力方法は一例であって、用途に応じて自由に変えることができるのは、言うまでもない。
【００３２】
６０２は、表示画像の枚数を切りかえるボタンである。なお、表示枚数が減る場合も増える場合も、現在の表示の番号の若い順に表示するものとする。また、ここに記述している入力方法は一例であって、用途に応じて数値入力など、自由に入力方法を変えることができるのは、言うまでもない。
図７を説明する。図７は、図６の６０１にソート条件を入力し、表示された審査画面の一例を示す構成図である。
７０１は、表示画像リストの最初の画像から順に画像表示させるボタンである。
７０２は、ソートした表示画像リストに従って、表示画像を一つ前に戻すボタンである。
７０３は、ソートした表示画像リストに従って、表示画像を一つ先に送るボタンである。
７０４は、表示画像リストの、順序が最も若い未審査画像から順に、画像を表示させるボタンである。
図８を説明する。図８は、途中まで審査対象画像の審査を終え、画像審査を中断する直前の審査画面の一例を示す構成図である。
【００３３】
８０１および８０２は、審査結果を入力するメニューである。なお、ここに記述している入力方法は一例であって、例えばプルダウンメニューなど、用途に応じ、様々な形態が存在するのは言うまでもない。
８０３は、写真の審査を中断する（ログアウトする）ボタンである。
図９を説明する。図９は、図８において画像審査を中断した後、審査を再開した直後の写真審査画面の一例を示す構成図である。
【００３４】
後述する図１１のソート条件と図１２の表示リスト、そして、図１５の再開条件を基に表示画像リストを生成し、ブックマーク画像の次の画像から順に、審査対象となる画像を、表示している。
【００３５】
図１０を説明する。図１０は、ユーザ情報と、各ユーザの、審査対象となるフォトコンテストを管理する（コンテスト管理サーバ１３０が、記憶している画像データを、誰に審査させるべく画像を閲覧させるかを管理する）データテーブルである。そして、このデータテーブルと後述の図１９のデータテーブルにより、コンテスト管理サーバ１３０を、画像記憶手段に格納されている複数の画像データのうち、どの画像データをユーザに審査させるべく閲覧させるかを特定するためのユーザ情報と、審査の順序を示す順序情報とを格納する情報記憶手段として、機能させることができる。
【００３６】
図１１を説明する。図１１は、ブックマーク情報記憶のためのデータテーブルである。そして、ひとつのデータテーブルで、ユーザ情報、ソート条件、ブックマーク画像番号を対応させ、管理する（ブックマークは、審査を中断する際、後述の図１７に示されるフローに従って、生成されたものが、格納される）。本例の一行目は、図９の状態を再現するためのデータテーブルの状態を表している。
【００３７】
図１２を説明する。  図１２は、図５で選択された特定の写真コンテストの応募画像と画像の関連情報を管理するデータテーブル（表示画像リスト）である。そして、ユーザ情報と前記審査の順序を示す順序情報（後述の画像番号１２１０）とに基づき、ユーザの表意端末で表示するための画像データを含んで構成されている。なお、このテーブルに記載された画像の関連情報は一例であり、コンテスト毎に自由に決められるのは言うまでもない。
画像番号１２１０は、審査対象となる各画像に個別に振られた、審査の順序を示す順序情報である。
図１３を説明する。図１３は、図１２の表示画像リストを、図７のような条件でソートした表示画像リストの一例を示す構成図である。
表示画像リスト１３１０は、本実施例における、画像審査開始直前の表示画像リストの一例である。
【００３８】
表示画像リスト１３２０は、表示画像リスト１３１０に基づいて、ユーザが、審査者端末１２０によってリストの画像の途中まで審査を行い、審査を中断する直前の状態を示した表示画像リストの一例であり、図８の審査の状態を表したものである。
【００３９】
表示画像リスト１３３０は、表示画像リスト１３２０の状態でユーザが、審査者端末１２０によってリストの画像の途中まで審査を行い、審査を中断した後、審査が再開された直後の表示画像リストの一例であり、図９の審査の状態を表したものである。
図１４について説明する。図１４は、本発明の実施形態における、一連の処理の流れを示すフローチャートである。
【００４０】
まず、ステップＳ１４０１では、審査者端末１２０は、ユーザから図４に示したログイン画面にて受け付けたユーザIDとパスワードを受けつけて、管理サーバ１３０にユーザＩＤとパスワードをコンテスト送信し、ログイン要求を行う。
【００４１】
ステップＳ１４０２では、コンテスト管理サーバ１３０は、審査者端末１２０からログイン要求、ユーザＩＤ、パスワード、を受けつけて、ユーザ認証データテーブル１０００を用いてユーザ認証を行う。そして、ユーザＩＤとパスワードが一致しない場合、ステップＳ１４０３にて、コンテスト管理サーバ１３０は、エラー処理を行う。また、ユーザＩＤとパスワードが一致した場合、ステップＳ１４０４にて、コンテスト管理サーバ１３０は、ユーザ認証データテーブル１０００に基づいて、審査者端末１２０に、審査コンテスト名選択画面の表示要求を行う。
【００４２】
ステップＳ１４０５では、審査者端末１２０は、コンテスト管理サーバ１３０から、の表示要求受付を受けつけて、審査コンテスト名の選択画面を表示する。そして、ステップＳ１４０６にて、審査者端末１２０は、ユーザが選択した審査コンテスト名を受けつけて、コンテスト管理サーバ１３０に、審査コンテスト名を送信し、画像表示情報（画像及び画像関連情報）を要求する。
【００４３】
ステップＳ１４０７では、コンテスト管理サーバ１３０は、審査者端末１２０から、審査コンテスト名と画像表示情報の要求を受けつける。そして、ステップＳ１４０８では、コンテスト管理サーバ１３０は、受付けた審査コンテスト名とユーザ情報から、審査に必要な画像、その画像関連に関連する情報、ソート条件、ブックマーク、審査再開時の表示設定（図１５にて後述）を呼び出す。
【００４４】
ステップＳ１４０９では、コンテスト管理サーバ１３０は、ステップＳ１４０８にて呼び出した情報を基に、表示画像リストを生成する。ここで言う表示画像リストの生成とは、審査者端末１２０に表示したい画像を、ユーザ情報やブックマーク情報等の特定画像を起点として（図１５の審査再開時の設定にて表示の条件を決めている）、順番に配置した表意画像のリストを生成することである。
【００４５】
なお、ここまでのステップ（ステップＳ１４０２乃至ステップＳ１４０９）のうち、画像管理サーバ側のステップが、前記表示情報の表示を再開する表示要求とユーザ情報とを受け付ける表示要求受付手段となる。
【００４６】
また、前記表示要求受付手段で表示要求とユーザ情報とを受け付けた場合に、前記表示情報生成手段は、当該表示要求を行ったユーザのユーザ情報に対応するブックマーク情報を前記ブックマーク情報記憶手段から読み出し、当該ブックマーク情報により特定される審査済みの画像データより後に審査される未審査の画像データから前記表示情報を生成することができる。
【００４７】
ステップＳ１４１０では、コンテスト管理サーバ１３０は、生成された表示画像リストに従って、審査者端末１２０に、表示させる画像を送信する（画像表示要求する）。そして、ステップＳ１４１１では、審査者端末１２０は、コンテスト管理サーバ１３０から画像を受けつけ、表示する。
【００４８】
ステップＳ１４１２では、審査者端末１２０は、ユーザから表示端末に表示した画像の審査を受けつける（審査するか否かも含む）。そして、審査の入力があった場合（審査する場合）、ステップＳ１４１３にて、ユーザから受けつけた審査結果を、コンテスト管理サーバ１３０に送信する。
【００４９】
ステップＳ１４１５では、審査者端末１２０は、ユーザから表示画像の切替え指示を受付ける（切替えるか否かも含む）。そして、切替え指示があった場合（切換えを行う場合）、ステップＳ１４１６にて、審査者端末１２０は、コンテスト管理サーバ１３０に、次に表示端末に表示する画像の送信を要求する。
ステップＳ１４１４では、コンテスト管理サーバ１３０は、審査者端末１２０から情報を受信したか否かの判定を行う。
【００５０】
ステップＳ１４１７では、コンテスト管理サーバ１３０は、ステップＳ１４１４にて審査者端末１２０から受信した情報が、審査結果情報であるか否かの判定を行なう。そして、そうであれば、ステップＳ１４１８にて、コンテスト管理サーバ１３０は、審査対象画像に対応付けられた審査結果を、上書き保存する。
【００５１】
ステップＳ１４２１では、審査者端末１２０は、ユーザから、ログアウトするか否かの指示を受けつける。そして、ユーザからログアウトする旨の指示があった場合、審査者端末１２０は、ステップＳ１４２２にて、コンテスト管理サーバ１３０に、ログアウト要求を、行う。
【００５２】
ステップＳ１４２３では、コンテスト管理サーバ１３０は、ユーザ情報、画像の審査に関する情報、等を基に、ブックマーク情報の付加や更新（ブックマーク特定、ブックマーク情報記憶、ブックマーク記憶）を行う。ブックマークの付加・更新の詳細については、図１７にて後述する。
ステップＳ１４２４では、コンテスト管理サーバ１３０は、審査者端末１２０からの、ログアウト要求を、受付ける。
【００５３】
図１５について説明する。図１５は、ステップＳ１４０９にて表示画像リストを生成する際の条件を指定する選択画面である。この画面は、表示端末に表示され、ユーザが審査者端末１２０に対し、指示・選択を行うことによって、条件の切替えを行うことができる。
【００５４】
なお、本選択画面では４つの選択肢を例示しているが、このうち発明の実施例にあたる選択肢は、『未審査画像（ブックマーク画像の次）から再開』である。したがって、それ以外の３つの選択肢については、これら３つの選択肢以外の選択肢が更にあってもよいし、これら３つの選択肢のいずれかがなくともよい。
【００５５】
図１６について説明する。図１６は、コンテスト管理サーバ１３０が、図１４のフローのステップＳ１４０９にて、表示画像リスト生成する際の、詳細なステップを示したフローチャートである。なお、表示画像リストは、図１５にて選択された表示画像リストを生成する際の条件のほか、ユーザ情報や、ソート条件等にも基づいて生成される（ステップＳ１６０２、ステップＳ１６０５、ステップＳ１６０８、ステップＳ１６１１）。
ステップＳ１６０１は、ユーザ情報に対応するブックマークの呼出しを行う。
【００５６】
ステップＳ１６０２は、図１５にて『常に先頭画像から再開』が選択されているか否かを判定する。選択さている場合は、ステップＳ１６０３にて、画像が審査済か未審査かを問わずに、画像番号の最も若い画像を起点として、表示画像リストを生成する。
【００５７】
ステップＳ１６０４は、図１５にて『中断地点（最終閲覧画像）から再開』が選択されているか否かを判定する。そして、選択さている場合、ステップＳ１６０５にて、さらに最終表示履歴があるか否かを判定する。そして、履歴がある場合、ステップＳ１６０６にて、画像の審査済か未審査かを問わずに、最終表示画像を起点として、表示画像リストを生成する。
【００５８】
ステップＳ１６０７は、図１５にて『未審査画像の手前（ブックマーク画像）から再開』が選択されているか否かを判定する。そして、選択さている場合、ステップＳ１６０８にて、さらにブックマークがあるか否かを判定する。そして、ブックマークがある場合、ステップＳ１６０９にて、ブックマーク画像を起点として、表示画像リストを生成する。ブックマークの付加、表示のステップについては図１８にて後述する。
【００５９】
ステップＳ１６１０は、図１５にて『未審査画像（ブックマーク画像の次）から再開』が選択されているか否かを判定する。そして、選択さている場合、ステップＳ１６１１にて、さらにブックマークがあるか否かを判定する。そして、ブックマークがある場合、ステップＳ１６１２にて、ブックマーク画像の次の画像を起点として、表示画像リストを生成する。
【００６０】
先に図１４で説明したステップＳ１４０１乃至ステップＳ１４０８と、上記ステップ（ステップＳ１４０９）により、ユーザ（審査者）に画像データを閲覧させるべく、情報記憶手段（コンテスト管理サーバ１３０）に格納されたユーザ情報と審査の順序を示す順序情報とに基づいて、前記ユーザの表示端末で表示するための当該画像データを含む表示情報を生成することができる。
【００６１】
図１７について説明する。図１７は、コンテスト管理サーバ１３０が、図１４のフローのステップＳ１４２２にて、ブックマークの付加・更新する際の、詳細なステップを示したフローチャートである。ブックマークは、下記のステップを経ることで、画像表示リスト中の最も画像番号の若い未読画像の、一つ手前の既読画像に、付加される。
ステップＳ１７０１では、表示画像リストの最も画像番号の若い順の画像Ｉtopを、ブックマーク画像となるか否かを判定する判定画像Iに、代入する。
ステップＳ１７０２では、判定画像Ｉ（＝Ｉtop）をブックマーク画像Ｂに代入する。
【００６２】
ステップＳ１７０３では、判定画像Ｉが、審査済みであるか否かを判定する。そして、審査済みであった場合、ステップＳ１７０４にて、判定画像Ｉを、ブックマークＢに代入する。
【００６３】
ステップＳ１７０５では、判定画像Ｉが、表示画像リストの最後の画像Ｉendであるか否かを判定する。そして、最後の画像でなければ、ステップＳ１７０７にて、判定画像Ｉに、当該判定画像の次の画像Ｉnextを代入する。また、最後の画像であった場合、さらに審査画像がソートされているか否かをステップＳ１７０６にて判定する。そして、ソートがある場合、ステップＳ１７０８にて、メッセージを表示する。また、ソートがない場合、ステップＳ１７０９にて、メッセージを表示する。
ステップＳ１７１０では、表示画像リストの最も若い順の画像Ｉtopを、ブックマークＢに代入する。
【００６４】
以上のステップを経ることにより、表示画像リストに未審査の画像がある場合、未審査画像の前にある審査済み画像をブックマーク画像として、コンテスト管理サーバ１３０に記憶される。また、表示画像リストに未審査の画像がない場合、審査画像リストの先頭画像がブックマーク画像として、コンテスト管理サーバ１３０に記憶される。
【００６５】
すなわち、表示情報生成手段（ステップＳ１４０９）により生成された表示情報を表示端末（作品応募者端末１１０の表示端末２１０）で表示した後で審査を中断する際に、未審査の画像データより前に審査される画像データであって、審査済みの画像データを特定するためのブックマーク情報を、当該画像データの審査を行ったユーザを特定するユーザ情報とともに格納することができる。
【００６６】
図１８について説明する。図１８は、図８から図９に至る画面遷移と同様、審査中断直前と、審査再開直後の画面遷移を示す構成図である。図９との違いは、同時に表示する画像点数が、３ではなく１となっている点である。審査を終えたブックマーク画像で終了し、その次の未審査画像から、画像表示を再開した状態を示している。
【００６７】
以上のように、表示画像リストの最も順番の若い未審査画像から再開することで、審査済みの画像を誤って重複審査してしまう可能性を軽減するとができる。また、再開時に審査したい画像を検索する手間を省き、画像の表示再開と同時にスムーズな審査の開始が可能となる。
【００６８】
さらに、表示画像リストの中に一枚でも未審査画像残っていれば、そこから表示再開される特性を生かし、本発明を、審査の抜け漏れのチェックに用いることも可能である。
【００６９】
図１９について説明する。図１９は、画像記憶装置が記憶している画像とその関連情報のデータテーブルの一例を示す構成図である。なお、本実施例では図４で示したようにユーザがログインし、図５に示したように、ユーザがフォトコンテストの種類を選択し、表示画像リストが生成された状態が、図１２に示したリストとなっている。
【００７０】
本実施例では、フォトコンテスト、すなわち、写真の審査を念頭に書かれているが、審査画像は写真でなくともよい。たとえば、イラストなどの写真以外静止画像であっても良いし、あるいは静止画に限定せず、動画であってもよい。
【００７１】
また本発明は、装置だけでなく、例えば、システム、方法、プログラム若しくは記憶媒体等としての実施形態も可能であり、具体的には、複数の機器から構成されるシステムに適用してもよいし、また、１つの機器からなる装置に適用してもよい。
【００７２】
なお、本発明は、前述した実施形態の機能を実現するソフトウェアのプログラムを、システム或いは装置に直接、或いは遠隔から供給するものを含む。そして、そのシステム或いは装置のコンピュータが前記供給されたプログラムコードを読み出して実行することによっても達成される場合も本発明に含まれる。
【００７３】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００７４】
その場合、プログラムの機能を有していれば、オブジェクトコード、インタプリタにより実行されるプログラム、ＯＳに供給するスクリプトデータ等の形態であってもよい。
【００７５】
プログラムを供給するための記録媒体としては、例えば、フレキシブルディスク、ハードディスク、光ディスク、光磁気ディスク、ＭＯ、ＣＤ−ＲＯＭ、ＣＤ−Ｒ、ＣＤ−ＲＷなどがある。また、磁気テープ、不揮発性のメモリカード、ＲＯＭ、ＤＶＤ（ＤＶＤ−ＲＯＭ，ＤＶＤ−Ｒ）などもある。
【００７６】
その他、プログラムの供給方法としては、クライアントコンピュータのブラウザを用いてインターネットのホームページに接続する。そして、前記ホームページから本発明のコンピュータプログラムそのもの、若しくは圧縮され自動インストール機能を含むファイルをハードディスク等の記録媒体にダウンロードすることによっても供給できる。
【００７７】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００７８】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、ダウンロードした鍵情報を使用することにより暗号化されたプログラムを実行してコンピュータにインストールさせて実現することも可能である。
【００７９】
また、コンピュータが、読み出したプログラムを実行することによって、前述した実施形態の機能が実現される。その他、そのプログラムの指示に基づき、コンピュータ上で稼動しているＯＳなどが、実際の処理の一部又は全部を行い、その処理によっても前述した実施形態の機能が実現され得る。
【００８０】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部又は全部を行い、その処理によっても前述した実施形態の機能が実現される。
【００８１】
なお、前述した実施形態は、本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【符号の説明】
【００８２】
１１０  作品応募者端末
１２０  審査者端末
１３０  コンテスト管理サーバ
【図１】
2015035048.tif 000003
【図２】
2015035048.tif 000004
【図３】
2015035048.tif 000005
【図４】
2015035048.tif 000006
【図５】
2015035048.tif 000007
【図６】
2015035048.tif 000008
【図７】
2015035048.tif 000009
【図８】
2015035048.tif 000010
【図９】
2015035048.tif 000011
【図１０】
2015035048.tif 000012
【図１１】
2015035048.tif 000013
【図１２】
2015035048.tif 000014
【図１３】
2015035048.tif 000015
【図１４】
2015035048.tif 000016
【図１５】
2015035048.tif 000017
【図１６】
2015035048.tif 000018
【図１７】
2015035048.tif 000019
【図１８】
2015035048.tif 000020
【図１９】
2015035048.tif 000021